【事件の表示】
　特願２０１３−５４６３８９「補足コンテンツをディスプレイ上に表示する方法及びコンテンツストリームを補足コンテンツとともにディスプレイ上に表示するためのシステム」拒絶査定不服審判事件〔平成２４年　６月２８日国際公開、ＷＯ２０１２／０８８３３２、平成２６年　３月１３日国内公表、特表２０１４−５０６４１５、請求項の数（２６）〕について、次のとおり審決する。
【結　論】
　原査定を取り消す。
　本願の発明は、特許すべきものとする。
【理　由】
第１　経緯
　本願は、２０１１年（平成２３年）１２月２１日（パリ条約による優先権主張外国庁受理２０１０年１２月２３日、米国）を国際出願日とする出願であって、その手続の経緯は、以下のとおりである。
　　
　平成２６年１１月　５日：拒絶理由の通知
　平成２７年　５月１１日：手続補正
　平成２７年１１月１１日：拒絶理由の通知
　平成２８年　１月１５日：手続補正
　平成２８年　２月　９日：拒絶査定
　平成２８年　２月１６日：拒絶査定の謄本の送達
　平成２８年　５月１６日：拒絶査定不服審判の請求
　平成２８年　５月１６日：手続補正
　　
第２　原査定の概要
　原査定の理由は、概略、次のとおりである。
　　
［査定の理由］
　この出願の請求項１〜２６に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　　　　　　　　記
引用文献１：特開２００６−４１５７３号公報
引用文献２：特開２００２−２６２２２５号公報（周知技術を示す文献）
引用文献３：特開２０１０−２１８３８５号公報（周知技術を示す文献）
引用文献４：特開２００９−６５５５１号公報（周知技術を示す文献）
引用文献５：特表２００６−５０５２０７号公報（周知技術を示す文献）
引用文献６：特開２００２−３０５７３０号公報（周知技術を示す文献）
　　
　　
第３　本願発明
１　本願請求項１〜２６に係る発明
　本願請求項１〜２６に係る発明（以下、それぞれ「本願発明１」〜「本願発明２６」という。）は、平成２７年５月１１日付け、平成２８年１月１５日付け、平成２８年５月１６日付けの手続補正で補正された特許請求の範囲の請求項１〜２６に記載された事項により特定される発明であり、以下のとおりの発明である。
　　
「　【請求項１】
　補足コンテンツをディスプレイ上に表示する方法であって、
　番組のコンテンツストリームを受け取るステップと、
　受け取ったコンテンツストリームをサンプリングして、サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別するステップと、
　前記メディア識別子をコンテンツサーバに送信するステップと、
　前記メディア識別子を使用して前記コンテンツサーバから補足コンテンツを取り出すステップと、
　前記コンテンツストリームを、該コンテンツストリームの受け取り中にインターネット通信を提供する双方向機能へのアクセスを提供する前記補足コンテンツとともに前記ディスプレイ上にレンダリングするステップと、
を含むことを特徴とする方法。
　　【請求項２】
　前記メディア識別子が、前記サンプル部分が見つかったコンテンツ単位を定義する、
ことを特徴とする請求項１に記載の方法。
　　【請求項３】
　前記メディア識別子が、前記サンプル部分が見つかった前記コンテンツ単位内の位置を定義する、
ことを特徴とする請求項２に記載の方法。
　　【請求項４】
　前記補足コンテンツが、前記双方向機能にアクセスするためのトリガを定義する、
ことを特徴とする請求項１に記載の方法。
　　【請求項５】
　前記双方向機能が、前記トリガによって作動するアプリケーションにより提供される、
ことを特徴とする請求項４に記載の方法。
　　【請求項６】
　前記メディア識別子を判別するステップは、前記コンテンツストリームの一部をサンプリングして当該サンプル部分の指紋を生成し、生成された指紋に基づき前記サンプル部分を分析して前記コンテンツストリームに含まれるコンテンツのメディア識別子を判別する、
ことを特徴とする請求項１〜５のいずれか一項に記載の方法。
　　【請求項７】
　前記コンテンツストリームが、第１のチャネルを介して受け取られ、前記補足コンテンツが、第２のチャネルを介して取り出される、
ことを特徴とする請求項１〜６のいずれか一項に記載の方法。
　　【請求項８】
　前記第１のチャネルが、アナログオーディオ／ビデオ、デジタルオーディオ／ビデオ、ケーブル、衛星、又はインターネットから成る群から選択された通信により定義され、
　前記第２のチャネルが、インターネット通信により定義される、
ことを特徴とする請求項７に記載の方法。
　　【請求項９】
　コンテンツサーバがディスプレイに補足コンテンツを提供する方法であって、
　コンテンツストリームのメディア識別子を使用して補足コンテンツを判別するステップを含み、前記メディア識別子が、前記コンテンツストリームをサンプリングしたサンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで判別されるものであり、
　前記補足コンテンツをレンダリングモジュールに送信するステップをさらに含み、前記レンダリングモジュールが、前記コンテンツストリームを、該コンテンツストリームの受け取り中にインターネット通信を提供する双方向機能へのアクセスを提供する前記補足コンテンツとともに前記ディスプレイ上にレンダリングする、
ことを特徴とする方法。
　　【請求項１０】
　前記メディア識別子が、前記サンプル部分が見つかったコンテンツ単位を定義する、
ことを特徴とする請求項９に記載の方法。
　　【請求項１１】
　前記メディア識別子が、前記サンプル部分が見つかった前記コンテンツ単位内の位置を定義する、
ことを特徴とする請求項１０に記載の方法。
　　【請求項１２】
　前記補足コンテンツが、前記双方向機能にアクセスするためのトリガを定義する、
ことを特徴とする請求項９に記載の方法。
　　【請求項１３】
　前記双方向機能が、前記トリガによって作動するアプリケーションにより提供される、
ことを特徴とする請求項１２に記載の方法。
　　【請求項１４】
　前記メディア識別子の判別が、前記コンテンツストリームの一部をサンプリングして当該サンプル部分の指紋を生成するステップと、前記生成された指紋に基づき前記サンプル部分を分析して前記コンテンツストリームに含まれるコンテンツのメディア識別子を判別するステップとを含む
ことを特徴とする請求項９〜１３のいずれか一項に記載の方法。
　　【請求項１５】
　コンテンツストリームを補足コンテンツとともにディスプレイ上に表示するためのシステムであって、
　前記補足コンテンツを提供するためのコンテンツサーバと、
　コネクテッドインターフェイスモジュールを含むインターフェイス装置と、
を備え、前記コネクテッドインターフェイスモジュールが、
　　（ａ）番組のコンテンツストリームを受け取り、受け取ったコンテンツストリームをサンプリングし、該サンプリングしたサンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別するためのセンサモジュールと、
　　（ｂ）前記メディア識別子を使用して前記コンテンツサーバから前記補足コンテンツを取り出すための補足コンテンツモジュールと、
　　（ｃ）前記コンテンツストリームを、該コンテンツストリームの受け取り中にインターネット通信を提供する双方向機能へのアクセスを提供する前記補足コンテンツとともに前記ディスプレイ上にレンダリングするためのレンダリングモジュールと、
　を含む、
ことを特徴とするシステム。
　　【請求項１６】
　前記メディア識別子が、前記サンプル部分が見つかったコンテンツ単位を定義する、
ことを特徴とする請求項１５に記載のシステム。
　　【請求項１７】
　前記メディア識別子が、前記サンプル部分が見つかった前記コンテンツ単位内の位置を定義する、
ことを特徴とする請求項１６に記載のシステム。
　　【請求項１８】
　前記補足コンテンツが、前記双方向機能にアクセスするためのトリガを定義する、
ことを特徴とする請求項１５に記載のシステム。
　　【請求項１９】
　前記双方向機能が、前記トリガによって作動するアプリケーションにより提供される、
ことを特徴とする請求項１８に記載のシステム。
　　【請求項２０】
　前記メディア識別子の判別は、前記コンテンツストリームの一部をサンプリングして当該サンプル部分の指紋を生成し、前記生成された指紋に基づき前記サンプル部分を分析して前記コンテンツストリームに含まれるコンテンツのメディア識別子を判別すること、によって実行される
ことを特徴とする請求項１５〜１９のいずれか一項に記載のシステム。
　　【請求項２１】
　コンテンツストリームを補足コンテンツとともにディスプレイ上に表示するためのシステムであって、
　前記補足コンテンツを提供するためのコンテンツサーバと、
　コネクテッドインターフェイスモジュールを含むディスプレイと、
を備え、前記コネクテッドインターフェイスモジュールが、
　　（ａ）番組のコンテンツストリームを受け取り、受け取ったコンテンツストリームをサンプリングし、該サンプリングしたサンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別するためのセンサモジュールと、
　　（ｂ）前記メディア識別子を使用して前記コンテンツサーバから前記補足コンテンツを取り出すための補足コンテンツモジュールと、
　　（ｃ）前記コンテンツストリームを、該コンテンツストリームの受け取り中にインターネット通信を提供する双方向機能へのアクセスを提供する前記補足コンテンツとともに前記ディスプレイ上にレンダリングするためのレンダリングモジュールと、
　を含む、
ことを特徴とするシステム。
　　【請求項２２】
　前記メディア識別子が、前記サンプル部分が見つかったコンテンツ単位を定義する、
ことを特徴とする請求項２１に記載のシステム。
　　【請求項２３】
　前記メディア識別子が、前記サンプル部分が見つかった前記コンテンツ単位内の位置を定義する、
ことを特徴とする請求項２２に記載のシステム。
　　【請求項２４】
　前記補足コンテンツが、前記双方向機能にアクセスするためのトリガを定義する、
ことを特徴とする請求項２１に記載のシステム。
　　【請求項２５】
　前記双方向機能が、前記トリガによって作動するアプリケーションにより提供される、
ことを特徴とする請求項２４に記載のシステム。
　　【請求項２６】
　前記メディア識別子の判別は、前記コンテンツストリームの一部をサンプリングして当該サンプル部分の指紋を生成し、この生成された指紋に基づいて前記サンプル部分を分析して前記コンテンツストリームに含まれるコンテンツのメディア識別子を判別すること、によって実行される
ことを特徴とする請求項２１〜２５のいずれか一項に記載のシステム。」
　　
２　本願発明１の分説
　本願発明１を分説すると、次のとおりである。
　　
（本願発明１）
「（Ａ）補足コンテンツをディスプレイ上に表示する方法であって、
（Ｂ）番組のコンテンツストリームを受け取るステップと、
（Ｃ）受け取ったコンテンツストリームをサンプリングして、サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別するステップと、
（Ｄ）前記メディア識別子をコンテンツサーバに送信するステップと、
（Ｅ）前記メディア識別子を使用して前記コンテンツサーバから補足コンテンツを取り出すステップと、
（Ｆ）前記コンテンツストリームを、該コンテンツストリームの受け取り中にインターネット通信を提供する双方向機能へのアクセスを提供する前記補足コンテンツとともに前記ディスプレイ上にレンダリングするステップと、
（Ｇ）を含むことを特徴とする方法。」
　　
（（Ａ）〜（Ｇ）は、当審で付与した。以下各構成要件を「構成要件Ａ」等という。）
　　
第４　引用文献、引用発明
１　引用文献１について
（１）引用文献１の記載事項
　原査定の拒絶の理由に引用された引用文献１には、図面とともに次の事項が記載されている。（下線は当審が付与した。）
　　
「【０１１１】
　次に、図７のフローチャートを参照して、
テレビジョン受像機１４が実行する、コンテンツ受信処理について説明する
　【０１１２】
　ステップＳ２１において、アンテナ５１は、上述した図６のステップＳ１１の処理により
配信されてきた
放送コンテンツ
を受信
受信された放送コンテンツをチューニングし、所定のチャンネルの受信波を選択
選択された所定のチャンネルの受信波を復調
　【０１１３】
　ステップＳ２４において、画像処理部７１は、ステップＳ２３の処理で
復調されたデータに対して所定の画像処理を施
画像処理が施されたデータから出力データを生成
生成された出力データから特徴量を算出
　【０１１４】
　ステップＳ２７において、認証処理部５７は、配信装置１２との間で認証されたか否かを判定し、認証されたと判定した場合、ステップＳ２８に進み、関連コンテンツ情報取得部５６から供給された
特徴量を
配信装置
に送信
配信装置
は
特徴量に関連付けられている格納アドレス情報および鍵情報を検索し、配信する
　【０１１５】
　ステップＳ２９において、関連コンテンツ情報取得部５６は、ステップＳ２８の処理で送信された特徴量に基づいて、配信装置１２よりネットワーク１３を介して
配信されてきた格納アドレス情報および鍵情報を取得する
配信装置
に対し、関連コンテンツの配信を要求する
要求に含まれる格納アドレス情報に基づいて
関連コンテンツを検索し、配信する
　【０１１６】
　ステップＳ３１において、関連コンテンツ取得部５８は、ステップＳ３０の処理による配信要求に応じて、
配信装置
より
配信されてきた関連コンテンツを取得する
生成された出力データ（放送コンテンツ）
関連コンテンツ
を合成し、ディスプレイ
に出力する
　【０１１７】
　ステップＳ２７において、配信装置１２との間で認証されなかったと判定された場合、ステップＳ３３に進み、合成部７３は、ステップＳ２４の処理で生成された出力データ（放送コンテンツ）をディスプレイやスピーカなどに出力する。すなわち、配信装置１２との間で認証されなかった場合（不正な視聴者である場合）、放送コンテンツに連動する関連コンテンツを取得することができないため、誰もが視聴可能な放送コンテンツのみが出力される。
　【０１１８】
　以上のコンテンツ受信処理により、テレビジョン受像機１４は、受信した放送コンテンツ（CMを含む）を正常に再生した場合に特徴量を算出し、その特徴量に基づいて、関連コンテンツの格納アドレス情報および鍵情報を取得することができ、さらに格納アドレス情報に基づいて、放送コンテンツに連動する関連コンテンツを新たに取得することができる。」
　　
（２）引用文献１に記載された発明
　段落【０１１１】〜【０１１８】には、テレビジョン受信機が実行するコンテンツ受信処理が記載されている。このコンテンツ受信処理を方法の発明として認定する。この発明を以下「引用発明」という。
　　
　段落【０１１２】によると、配信された放送コンテンツを受信し、受信された放送コンテンツをチューニングし、所定のチャンネルの受信波を選択するから、引用発明は、「配信された放送コンテンツを受信し、受信された放送コンテンツをチューニングし、所定のチャンネルの受信波を選択するステップ」を含む。
　　
　段落【０１１２】、【０１１３】によると、選択された所定のチャンネルの受信波を復調し、復調されたデータに対して所定の画像処理を施し、画像処理が施されたデータから出力データを生成し、生成された出力データから特徴量を算出する。
　段落【０１１４】によると、特徴量を配信装置に送信し、配信装置は特徴量に関連付けられている格納アドレス情報および鍵情報を検索し、配信する。
　段落【０１１５】によると、配信されてきた格納アドレス情報および鍵情報を取得する。
　以上より、引用発明は、「選択された所定チャンネルの受信波から生成された出力データから算出された特徴量に基づいて格納アドレス情報を取得するステップ」を含むといえる。
　　
　段落【０１１５】によると、配信装置に対し、関連コンテンツの配信を要求する。ここで、要求には格納アドレス情報が含まれるから、格納アドレス情報を配信装置に送信するといえる。
　したがって、引用発明は、「格納アドレス情報を配信装置に送信するステップ」を含むといえる。
　　
　段落【０１１５】、【０１１６】によると、配信装置は、格納アドレス情報に基づいて、関連コンテンツを検索し、配信する。そして、配信装置より配信されてきた関連コンテンツを取得する。
　したがって、引用発明は、「格納アドレス情報を使用して配信装置から関連コンテンツ情報を取得するステップ」を含むといえる。
　　
　段落【０１１６】によると、生成された出力データ（放送コンテンツ）と関連コンテンツを合成して、ディスプレイに出力するから、引用発明は、「生成された出力データ（放送コンテンツ）と関連コンテンツを合成して、ディスプレイに出力するステップ」を含むといえる。
　　
　上記のようなステップを含む方法は、「関連コンテンツをディスプレイ上に表示する方法」といえる。
　　
　以上まとめると、引用発明は次のとおりである。
　　
（引用発明）
「（ａ）関連コンテンツをディスプレイ上に表示する方法であって、
（ｂ）配信された放送コンテンツを受信し、受信された放送コンテンツをチューニングし、所定のチャンネルの受信波を選択するステップと、
（ｃ）選択された所定チャンネルの受信波から生成された出力データから算出された特徴量に基づいて格納アドレス情報を取得するステップと、
（ｄ）格納アドレス情報を配信装置に送信するステップと、
（ｅ）格納アドレス情報を使用して配信装置から関連コンテンツ情報を取得するステップと、
（ｆ）生成された出力データ（放送コンテンツ）と関連コンテンツを合成して、ディスプレイに出力するステップと、
（ｇ）含むことを特徴とする方法。」
　　
　なお、（ａ）〜（ｇ）は、構成を識別するために付与した。以下各構成を「構成ａ」等という。
　　
２　引用文献２〜４について
（１）引用文献２の記載事項
「【００２３】切り出した放送データ素片は，その後の処理を平滑的に処理するために，一時的にデータキュー１１２に蓄えられる。データキュー１１２から取り出した放送データ素片について，ＩＤ検出部１１３にて関連コンテンツを取得するためのＩＤを生成する。ＩＤは，その放送データ素片と関連放送コンテンツを関係付けるものであればよい。例えばＩＤは，放送チャンネルと放送時間であってもよく，また電子番組表などを照会して得た番組録画予約用コード（Ｇコード）とその
番組が始まってからの相対時間
　　
（２）引用文献３の記載事項
「【００２４】
［２．言語情報］
　図２は、視聴コンテンツの言語情報ＬＩ１の例を示す図である。
　同図に示すように、視聴コンテンツの言語情報ＬＩ１は、コンテンツ時刻情報としての番組の放送開始時刻、
シーン特定情報としてのタイムコード
　　
（３）引用文献４の記載事項
「【００４０】
　具体的には、ユーザ端末１は、再生しているコンテンツのＩＤ、ユーザが指定した要素に対応する
要素識別情報
　　
（４）周知技術１
　引用文献２の段落【００２３】の記載、引用文献３の段落【００２４】の記載、引用文献４の記載等をみると、「コンテンツ内の時間的位置を表す情報を配信装置に送付して関連コンテンツを取得する」技術は周知の技術と認められる。
　　
３　引用文献５〜６について
（１）引用文献５の記載事項
「【０００８】
　他のアプリケーションドメインは、ウォータマーキングプロセスにより、認識できない方法でマルチメディア信号の実際のコンテンツにリンクされた、情報伝送用のチャネルの提供に関する。特にこれは、送信チャネルの存在および／または長期間の継続性が保障されない場合に、コンテンツの変換符号化や継続的な配信のために有用である。次に、このサイドチャネルは、その容量に応じてあらゆる有用な情報を送信するために使用することができる。例えば、これは、後で付加価値のあるサービスや付随的な情報（文字多重放送サービスや字幕等）の提供に使用し得るウォータマーキングがなされたコンテンツ（コンテンツ識別子やコンテンツエレメントの記述）を記述する
メタデータ
　　
（２）引用文献６の記載事項
「【００３４】
　ウォータマークをビデオ画像に埋め込む画像プロセッサ１００は、強度アダプタ１８０と、ウォータマーク埋込器１２０とを備える。ウォータマーク埋込器１２０は、ウォータマークを、ソース１１０から生成されたビデオ画像１１５に埋め込むように構成され、画像ウォータマーク付き画像１２５を生成する。ビデオ画像に埋め込まれるウォータマークは、ＵＭＩＤを表すデータ１７５から形成されている。データ１７５は、例えば様々なメタデータのアイテムを表する。また、データ１７５は、例えばＵＭＩＤである。一般的に、メタデータアイテムは、ビデオ画像のコンテンツを識別する。なお、コンテンツ、又は画像の他の属性を識別する異なる種類の
メタデータ
　　
（３）周知技術２
　引用文献５の段落【０００８】の記載、引用文献６の段落【００３４】の記載等をみると、「コンテンツに該コンテンツを識別するメタデータを埋め込み、該メタデータを抽出することでコンテンツの識別を可能とする」技術は、周知の技術と認められる。 
　　
第５　対比・判断
１　本願発明１について
（１）対比
　本願発明１と引用発明とを対比する。
　　
ア　構成要件Ａと構成ａとを対比する。
　引用発明の「関連コンテンツ」は、本願発明１の「補足コンテンツ」に相当する。
　したがって、本願発明１と引用発明とは、「補足コンテンツをディスプレイ上に表示する方法」として一致する。
　　
イ　構成要件Ｂと構成ｂとを対比する。
　引用発明は、「配信された放送コンテンツを受信し、受信された放送コンテンツをチューニングし、所定のチャンネルの受信波を選択する」ものであり、「放送コンテンツ」は「番組」といえ、「配信された放送コンテンツ」は「ストリーム」として配信されるから、引用発明は、「番組のコンテンツストリームを受け取るステップ」を含むといえる。
　したがって、本願発明１と引用発明とは、「番組のコンテンツストリームを受け取るステップ」を含む点で一致する。
　　
ウ　構成要件Ｃと構成ｃとを対比する。
　引用発明の「格納アドレス情報」は、構成ｅのように、「格納アドレス情報を使用して「配信装置から関連コンテンツ情報を取得する」ために使用されるものであるから、本願発明１の「メディア識別子」に相当する。
　また、引用発明の「選択された所定チャンネルの受信波から生成された出力データから算出された特徴量に基づいて格納アドレスを取得する」ことは、「コンテンツを形成するデータに基づいて、コンテンツのメディア識別子を判別する」といえる。
　さらに、「選択された所定チャンネルの受信波から生成された出力データから算出された特徴量」における「選択された所定チャンネルの受信波から生成された出力データ」は、「受け取ったコンテンツストリームをサンプリング」したものといえる。
　したがって、本願発明１と引用発明とは、「受け取ったコンテンツストリームをサンプリングして、サンプル部分に含まれるデータであって、コンテンツを形成するデータに基づいて、コンテンツのメディア識別子を判別するステップ」を含む点で共通する。
　しかしながら、本願発明１は、「サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別する」のに対し、引用発明は、「サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別する」ものではない点で相違する。
　　
エ　構成要件Ｄと構成ｄとを対比する。
　引用発明の「配信装置」は、本願発明１の「コンテンツサーバ」に相当する。
　また、上記ウのとおり、引用発明の「格納アドレス」は、本願発明１の「メディア識別子」に相当する。
  したがって、本願発明１と引用発明とは、「前記メディア識別子をコンテンツサーバに送信するステップ」を含む点で一致する。
　　
オ　構成要件Ｅと構成ｅとを対比する。
　引用発明の「格納アドレス情報」、「配信装置」、「関連コンテンツ情報」は、それぞれ、本願発明１の「メディア識別子」、「コンテンツサーバ」、「補足コンテンツ」に相当する。
　したがって、本願発明１と引用発明とは、「前記メディア識別子を使用して前記コンテンツサーバから補足コンテンツを取り出すステップ」を含む点で一致する。
　　
カ　構成要件Ｆと構成ｆとを対比する。
　引用発明の「生成された出力データ（放送コンテンツ）と関連コンテンツを合成して、ディスプレイに出力する」ことは、「前記コンテンツストリームを、前記補足コンテンツとともに前記ディスプレイ上にレンダリングする」ことといえる。
　したがって、本願発明１と引用発明とは、「前記コンテンツストリームを、前記補足コンテンツとともに前記ディスプレイ上にレンダリングするステップ」を含む点で共通する。
　しかしながら「前記補足コンテンツ」が、本願発明１においては、「該コンテンツストリームの受け取り中にインターネット通信を提供する双方向機能へのアクセスを提供する」前記捕捉コンテンツであるのに対し、引用発明においては、「該コンテンツストリームの受け取り中にインターネット通信を提供する双方向機能へのアクセスを提供する」前記捕捉コンテンツではない点で相違する。
　　
キ　構成要件Ｇと構成ｇとを対比すると、「方法」として一致する。
　　
ク　以上より、本願発明１と引用発明との一致点、相違点は、次のとおりである。
　　
（一致点）
　補足コンテンツをディスプレイ上に表示する方法であって、
　番組のコンテンツストリームを受け取るステップと、
　受け取ったコンテンツストリームをサンプリングして、サンプル部分に含まれるデータであって、コンテンツを形成するデータに基づいて、コンテンツのメディア識別子を判別するステップと、
　前記メディア識別子をコンテンツサーバに送信するステップと、
　前記メディア識別子を使用して前記コンテンツサーバから補足コンテンツを取り出すステップと、
　前記コンテンツストリームを、前記補足コンテンツとともに前記ディスプレイ上にレンダリングするステップと、
　を含むことを特徴とする方法。
　　
（相違点１）
　「コンテンツのメディア識別子を判別するステップ」が、
　本願発明１は、「サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別する」のに対し、
　引用発明は、「サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別する」ものではない点　
　　
（相違点２）
　「前記コンテンツストリームを、前記補足コンテンツとともに前記ディスプレイ上にレンダリングするステップ」における「前記補足コンテンツ」が、
　本願発明１においては、「該コンテンツストリームの受け取り中にインターネット通信を提供する双方向機能へのアクセスを提供する」前記捕捉コンテンツであるのに対し、
　引用発明においては、「該コンテンツストリームの受け取り中にインターネット通信を提供する双方向機能へのアクセスを提供する」前記捕捉コンテンツではない点
　　
（２）相違点についての判断
　上記相違点１について検討する。
　本願発明１は、「サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別する」ものであって、「サンプル部分に含まれるメタデータに基づいてコンテンツを特定」することと、「サンプル部分に含まれるデータであって、特定したコンテンツを形成するデータに基づいて、特定したコンテンツにおけるサンプル部分の位置を特定」することにより、特定したコンテンツのメディア識別子を判別するもの、すなわち、メタデータに基づいてコンテンツを特定すること、及び、コンテンツを形成するデータに基づいて、特定したコンテンツにおけるサンプル部分の位置を特定することの２段階の特定をすることで、特定したコンテンツのメディア識別子を判別するものである。
　一方、引用発明は、「選択された所定チャンネルの受信波から生成された出力データから算出された特徴量に基づいて格納アドレス情報を取得する」ものであって、メタデータに基づいてコンテンツを特定すること、及び、コンテンツを形成するデータに基づいて、特定したコンテンツにおけるサンプル部分の位置を特定することの２段階の特定をすることで、「メディア識別子」に相当する「格納アドレス情報」を判別するものではない。
　他の引用文献をみても、メタデータに基づいてコンテンツを特定すること、及び、コンテンツを形成するデータに基づいて、特定したコンテンツにおけるサンプル部分の位置を特定することの２段階の特定により、特定したコンテンツのメディア識別子を判別することを開示するものはない。
　したがって、当業者といえども、引用発明及び引用文献２〜６に記載された技術的事項から、相違点１に係る本願発明１の「サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別する」という構成を容易に想到することはできない。
　よって、本願発明１は、当業者であっても、引用発明及び引用文献２〜６に記載された技術事項に基づいて容易に発明できたものとはいえない。
　　
２　本願発明２〜８について
　本願発明２〜８も、本願発明１の「サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別する」という同一の構成を有しているから、本願発明１と同じ理由により、当業者であっても、引用発明及び引用文献２〜６に記載された技術事項に基づいて容易に発明できたものとはいえない。
　　
３　本願発明９〜１４について
　本願発明９は、本願発明１をコンテンツサーバがディスプレイに捕捉コンテンツを提供する方法としたものであり、「前記メディア識別子が、前記コンテンツストリームをサンプリングしたサンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで判別される」という本願発明１の相違点１に係る構成と同様の構成を有するものである。
　したがって、本願発明９は、本願発明１と同様な理由により、当業者であっても、引用発明及び引用文献２〜６に記載された技術事項に基づいて容易に発明できたものとはいえない。
  本願発明１０〜１４も、本願発明９の「前記メディア識別子が、前記コンテンツストリームをサンプリングしたサンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで判別される」という同一の構成を有しているから、本願発明９と同じ理由により、当業者であっても、引用発明及び引用文献２〜６に記載された技術事項に基づいて容易に発明できたものとはいえない。
　　
４　本願発明１５〜２０について
　本願発明１５〜２０は、本願発明１〜６に対応する「システム」の発明であり、本願発明１の「サンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで、特定したコンテンツのメディア識別子を判別する」に対応する構成を有しているから、本願発明１と同様な理由により、当業者であっても、引用発明及び引用文献２〜６に記載された技術事項に基づいて容易に発明できたものとはいえない。
　　
５　本願発明２１〜２６について
　本願発明２１〜２６は、本願発明９〜１４に対応する「システム」の発明であり、本願発明９の「前記メディア識別子が、前記コンテンツストリームをサンプリングしたサンプル部分に含まれるメタデータに基づいてコンテンツを特定した後、サンプル部分に含まれるデータであって、特定したコンテンツを形成するデータに基づいて、特定したコンテンツにおけるサンプル部分の位置を特定することで判別される」に対応する構成を有しているから、本願発明９と同様な理由により、当業者であっても、引用発明及び引用文献２〜６に記載された技術事項に基づいて容易に発明できたものとはいえない。
　　
第６　原査定について
　上記第３〜第５のとおり、本願発明１〜２６は、原査定において引用された引用文献１〜６に基づいて、容易に発明できたものとはいえない。
　したがって、原査定を維持することはできない。
　　
第７　むすび
　以上のとおり、原査定の理由によっては、本願を拒絶することはできない。
　また、他に本願を拒絶すべき理由を発見しない。
　よって、結論のとおり審決する。